(57)【特許請求の範囲】
【請求項１】
略直方体の形状を呈する包装箱であって、
第１面部、第２面部、第３面部、および第４面部と、
前記第１面部からそれぞれ延びる一対の第１外フラップ部と、
前記第２面部からそれぞれ延びる一対の第１内フラップ部と、
前記第３面部からそれぞれ延びる一対の第２内フラップ部と、
前記第４面部からそれぞれ延びる一対の第２外フラップ部と、
前記第１内フラップ部と前記第２外フラップ部とが重なる部分が接着されている接着部と、
前記第２内フラップ部と前記第１外フラップ部とが重なる部分が接着されていない非接着部と、を備え、
前記第１面部は、矩形であって、相互に平行な第１縁辺および第２縁辺と、前記第１縁辺と直交する相互に平行な一対の第３縁辺と、を有し、
前記第２面部は、矩形であって、前記第１縁辺と直交する相互に平行な一対の第４縁辺を有し、前記第１縁辺から延びて直角に折れ曲がり、
前記第３面部は、矩形であって、前記第２縁辺と平行な第５縁辺と、前記第２縁辺と直交する相互に平行な一対の第６縁辺と、を有し、前記第２縁辺から延び、直角に折れ曲がって前記第２面部と対向し、
前記第４面部は、相互に平行な前記第５縁辺および端縁辺と、前記第５縁辺と直交する相互に平行な一対の第７縁辺と、を有することで矩形を呈しており、前記第５縁辺から延び、直角に折れ曲がって前記第１面部と対向し、
前記一対の第１外フラップ部は、前記一対の第３縁辺からそれぞれ延び、直角に折れ曲がって相互に対向し、
前記一対の第１内フラップ部は、前記一対の第４縁辺からそれぞれ延び、直角に折れ曲がって相互に対向し、
前記一対の第２内フラップ部は、前記一対の第６縁辺からそれぞれ延び、直角に折れ曲がって相互に対向し、
前記一対の第２外フラップ部は、前記一対の第７縁辺の全長からそれぞれ延び、直角に折れ曲がって相互に対向し、
前記第２面部は、前記第１縁辺と平行な第８縁辺を有し、
前記包装箱は、
前記第８縁辺と直交する相互に平行な一対の第９縁辺と、を有し、前記第８縁辺から延び、直角に折れ曲がって前記第１面部と対向する矩形の第５面部と、
前記第５面部は、前記第４面部と接着されていないことを特徴とする包装箱。
【請求項２】
前記一対の第２外フラップ部には、その延出方向の端縁から前記第７縁辺に向かって、一対の第１破断線がそれぞれ形成されることを特徴とする請求項１に記載の包装箱。
【請求項３】
前記第４面部には、前記一対の第１破断線の前記第７縁辺側の端部の間を接続する第２破断線が設けられることを特徴とする請求項２に記載の包装箱。
【請求項４】
前記第２破断線は、破断開始部を含むことを特徴とする請求項３に記載の包装箱。
【請求項５】
前記第２縁辺には、切離線が形成されることを特徴とする請求項１から請求項４のいずれか一項に記載の包装箱。
【請求項６】
前記一対の第９縁辺からそれぞれ延び、直角に折れ曲がって相互に対向する一対のフラップ部と、をさらに備えることを特徴とする請求項１から請求項５のいずれか一項に記載の包装箱。
【請求項７】
前記第５面部には、その延出方向の端縁部に形成され、前記破断開始部の形状に対応する切欠き部が設けられることを特徴とする請求項４に記載の包装箱。
【請求項８】
請求項１に記載の包装箱のブランクシートであって、
相互に平行な第１折り曲げ線および第２折り曲げ線と、前記第１折り曲げ線と直交する相互に平行な一対の第３折り曲げ線と、を有する矩形の第１面部と、
前記第１折り曲げ線と直交する相互に平行な一対の第４折り曲げ線を有し、前記第１面部に前記第１折り曲げ線を介して接続される第２面部と、
前記第２折り曲げ線と平行な第５折り曲げ線と、前記第２折り曲げ線と直交する相互に平行な一対の第６折り曲げ線と、を有し、前記第１面部に前記第２折り曲げ線を介して接続される矩形の第３面部と、
相互に平行な前記第５折り曲げ線および端縁辺と、前記第５折り曲げ線と直交する相互に平行な一対の第７折り曲げ線と、を有することで矩形を呈している第４面部であって、前記第３面部に前記第５折り曲げ線を介して接続される第４面部と、
前記第１面部に前記一対の第３折り曲げ線を介してそれぞれ接続される一対の第１外フラップ部と、
前記第２面部に前記一対の第４折り曲げ線を介してそれぞれ接続される一対の第１内フラップ部と、
前記第３面部に前記一対の第６折り曲げ線を介してそれぞれ接続される一対の第２内フラップ部と、
前記第４面部に前記一対の第７折り曲げ線の全長を介してそれぞれ接続される一対の第２外フラップ部と、を備え、
前記第１折り曲げ線と平行な第８折り曲げ線と、前記第８折り曲げ線と直交する相互に平行な一対の第９折り曲げ線と、を有し、前記第２面部に前記第８折り曲げ線を介して接続される矩形の第５面部と、
前記包装箱が組み立てられた状態において、前記第５面部は、前記第４面部と接着されていないことを特徴とするブランクシート。
【請求項９】
前記一対の第２外フラップ部には、その延出方向の端縁から前記第７折り曲げ線に向かって、一対の第１破断線がそれぞれ形成されることを特徴とする請求項８に記載のブランクシート。
【請求項１０】
前記第４面部には、前記一対の第１破断線の前記第７折り曲げ線側の端部の間を接続する第２破断線が設けられることを特徴とする請求項９に記載のブランクシート。
【請求項１１】
前記第２破断線は、破断開始部を含むことを特徴とする請求項１０に記載のブランクシート。
【請求項１２】
前記第２折り曲げ線には、切離線が形成されることを特徴とする請求項８から請求項１１のいずれか一項に記載のブランクシート。
【請求項１３】
前記第５面部に前記一対の第９折り曲げ線を介してそれぞれ接続される一対のフラップ部と
をさらに備えることを特徴とする請求項８から請求項１２のいずれか一項に記載のブランクシート。
【請求項１４】
前記第５面部には、その延出方向の端縁部に形成され、前記破断開始部の形状に対応する切欠き部が設けられることを特徴とする請求項１１に記載のブランクシート。
【請求項１５】
請求項１から請求項７のいずれか一項に記載の包装箱により物品が収容されていることを特徴とする包装体。
【発明の詳細な説明】
【技術分野】
【０００１】
本発明は、迅速な開封を可能にする包装箱、該包装箱のブランクシート、および包装体に関する。
【背景技術】
【０００２】
従来、物品の流通過程において、汚れたり傷ついたりしないように、物品を包装し収容するための段ボールなどの包装箱（以下、単に包装箱ともいう）が広く使用されている。流通される物品は、例えば、商品として店頭に陳列され、この陳列は一般に効率良く行われることが要求される。
【０００３】
そこで、特許文献１では、商品を包装箱から取り出さないで、包装箱を上下に分割開封した際に形成されたトレーを、そのまま店頭に陳列することによって、商品陳列の効率化を図ったものが開示されている。
【先行技術文献】
【特許文献】
【０００４】
【特許文献１】特開平０９−２５４９５９号公報
【発明の概要】
【発明が解決しようとする課題】
【０００５】
しかしながら、特許文献１に記載の包装箱を開封してトレーを形成するためには、包装箱の全ての側壁を周方向に破断する必要が生じ、包装箱の開封に手間がかかる場合があった。そのため、商品陳列に時間がかかる可能性も考えられる。
【０００６】
本発明の目的は、迅速に開封することを可能にする包装箱、該包装箱のブランクシート、および包装体を提供することにある。
【課題を解決するための手段】
【０００７】
本発明による包装箱は、略直方体の形状を呈する包装箱であって、第１面部、第２面部、第３面部、および第４面部と、第１面部からそれぞれ延びる一対の第１外フラップ部と、第２面部からそれぞれ延びる一対の第１内フラップ部と、第３面部からそれぞれ延びる一対の第２内フラップ部と、第４面部からそれぞれ延びる一対の第２外フラップ部と、第１内フラップ部と第２外フラップ部とが重なる部分が接着されている接着部と、第１外フラップ部と第２内フラップ部とが重なる部分が接着されていない非接着部とを備えることを特徴とするものである。
【０００８】
本発明によるブランクシートは、本発明による包装箱のブランクシートであって、相互に平行な第１折り曲げ線および第２折り曲げ線と、第１折り曲げ線と直交する相互に平行な一対の第３折り曲げ線と、を有する矩形の第１面部と、第１折り曲げ線と直交する相互に平行な一対の第４折り曲げ線を有し、第１面部に第１折り曲げ線を介して接続される第２面部と、第２折り曲げ線と平行な第５折り曲げ線と、第２折り曲げ線と直交する相互に平行な一対の第６折り曲げ線と、を有し、第１面部に第２折り曲げ線を介して接続される矩形の第３面部と、第５折り曲げ線と直交する相互に平行な一対の第７折り曲げ線を有し、第３面部に第５折り曲げ線を介して接続される第４面部と、第１面部に一対の第３折り曲げ線を介して接続される一対の第１外フラップ部と、第２面部に一対の第４折り曲げ線を介して接続される一対の第１内フラップ部と、第３面部に一対の第６折り曲げ線を介して接続される一対の第２内フラップ部と、第４面部に一対の第７折り曲げ線を介して接続される一対の第２外フラップ部と、を備えることを特徴とするものである。
【０００９】
本発明による包装体は、本発明による包装箱によって物品を収容したことを特徴とするものである。
【発明の効果】
【００１０】
本発明によれば、包装箱を迅速に開封することが可能となる。
【図面の簡単な説明】
【００１１】
【図１】本発明の第１実施形態に係る、開封前の包装体および包装箱の斜視図である。
【図２】第１実施形態に係る包装箱を展開したブランクシートの平面図である。
【図３】第１実施形態に係る包装箱を開封する様子について説明するための図であり、第２外フラップ部を第１破断線に沿って破断したときの包装箱の斜視図である。
【図４】第１実施形態に係る包装箱を開封する様子について説明するための図であり、第２折り曲げ線を回転軸として回転するように、当該包装箱の上部を上方に持ち上げたときの包装箱の斜視図である。
【図５】第１実施形態に係る包装箱を開封する様子について説明するための図であり、当該包装箱の上部を取り外して形成されたトレーの斜視図である。
【図６】本発明の第２実施形態に係る、開封前の包装体および包装箱の斜視図である。
【図７】第２実施形態に係る包装箱を展開したブランクシートの平面図である。
【図８】第２実施形態に係る包装箱を開封する様子について説明するための図であり、第２外フラップ部を第１破断線に沿って破断したときの包装箱の斜視図である。
【図９】第２実施形態に係る包装箱を開封する様子について説明するための図であり、第２折り曲げ線を回転軸として回転するように、当該包装箱の上部を上方に持ち上げたときの包装箱の斜視図である。
【図１０】第２実施形態に係る包装箱を開封する様子について説明するための図であり、当該包装箱の上部を取り外して形成されたトレーの斜視図である。
【図１１】本発明の第２実施形態の変形例に係る包装箱を開封する様子について説明するための図であり、第２折り曲げ線を回転軸として回転するように、当該包装箱の上部を上方に持ち上げたときの包装箱の斜視図である。
【発明を実施するための形態】
【００１２】
以下、図１から図１１を参照しながら本発明を実施するための形態を詳細に説明する。但し、本発明は本形態の態様に限定されるものではない。
【００１３】
なお、本明細書および特許請求の範囲の記載において、「矩形」とは、長方形のほか正方形を含むものであり、「略直方体」とは、直方体のほか立方体も含むものである。
【００１４】
また、本明細書および特許請求の範囲の記載において、「包装体」とは、物品が収容された状態の包装箱、特に包装箱に物品が収容されることで製造された後であって且つ開封前のものをいう。
【００１５】
＜第１実施形態＞  
＜構造＞  
図１に本発明の第１実施形態に係る、開封前の包装体１および包装箱１０の斜視図を示し、図２に本実施形態に係る包装箱１０を展開したブランクシート１０Ｂの平面図を示す。本実施形態に係る包装体１は、包装箱１０に、物品（本実施形態では、略直方体形状の菓子箱を５箱）を収容して構成される（後述する図４および図５では当該物品は符号７０で表される）。しかし、本発明では、物品７０は、包装箱１０が迅速に開封できるならば、どのような物品であっても良く、物品７０の形状は略直方体形状に限られるものではない。
【００１６】
本実施形態に係る包装箱１０は、略直方体の形状を呈するものである。具体的には、包装箱１０は、図１、図２に示すように、いわゆるラップアラウンドケースに類似した構成となっており、第１面部１１から第５面部１５の５つの矩形の面部、一対の第１内フラップ部２２および一対の第２内フラップ部２３の４つの内フラップ部、一対の第１外フラップ部３１および一対の第２外フラップ部３４の４つの外フラップ部、一対の内壁フラップ部４５の２つの内壁フラップ部、を備えて構成される。本実施形態に係る包装箱１０では、第２面部１２、第１面部１１、第３面部１３、第４面部１４の順に連続している一方、第２面部１２と第４面部１４とは連続していない。
【００１７】
第１面部１１は、相互に平行な第１縁辺Ｌ１および第２縁辺Ｌ２と、第１縁辺Ｌ１と直交する相互に平行な一対の第３縁辺Ｌ３と、を有する。
【００１８】
第２面部１２は、第１縁辺Ｌ１と平行な第８縁辺Ｌ８と、第１縁辺Ｌ１と直交する相互に平行な一対の第４縁辺Ｌ４と、を有し、第１縁辺Ｌ１から延びて直角に折れ曲がっている。
【００１９】
第３面部１３は、第２縁辺Ｌ２と平行な第５縁辺Ｌ５と、第２縁辺Ｌ２と直交する相互に平行な一対の第６縁辺Ｌ６と、を有しており、第２縁辺Ｌ２から延び、直角に折れ曲がって第２面部１２と対向している。
【００２０】
第４面部１４は、第５縁辺Ｌ５と直交する相互に平行な一対の第７縁辺Ｌ７を有し、第５縁辺Ｌ５から延び、直角に折れ曲がって第１面部１１と対向している。
【００２１】
第５面部１５は、第８縁辺Ｌ８と直交する相互に平行な一対の第９縁辺Ｌ９を有し、第８縁辺Ｌ８から延び、直角に折れ曲がって第１面部１１と対向している。
【００２２】
一対の第１内フラップ部２２は、第２面部１２からそれぞれ延びている。具体的には、一対の第１内フラップ部２２は、第２面部１２の一対の第４縁辺Ｌ４からそれぞれ延び、直角に折れ曲がって相互に対向している。一対の第２内フラップ部２３は、第３面部１３からそれぞれ延びている。具体的には、一対の第２内フラップ部２３は、第３面部１３の一対の第６縁辺Ｌ６からそれぞれ延び、直角に折れ曲がって相互に対向している。
【００２３】
一対の第１外フラップ部３１は、第１面部１１からそれぞれ延びている。具体的には、一対の第１外フラップ部３１は、第１面部１１の一対の第３縁辺Ｌ３からそれぞれ延び、直角に折れ曲がって相互に対向している。一対の第２外フラップ部３４は、第４面部１４からそれぞれ延びている。具体的には、一対の第２外フラップ部３４は、第４面部１４の一対の第７縁辺Ｌ７からそれぞれ延び、直角に折れ曲がって相互に対向している。
【００２４】
また、一対の内壁フラップ部４５は、第５面部１５の一対の第９縁辺Ｌ９からそれぞれ延び、直角に折れ曲がって相互に対向している。
【００２５】
一対の第２外フラップ部３４には、その延出方向の端縁から第７縁辺Ｌ７に向かって、一対の第１破断線Ｃ１がそれぞれ形成される。本実施形態では、第１破断線Ｃ１は、第１内フラップ部２２と第２内フラップ部２３との境目の延長線上に来るように形成されている。また、第２縁辺Ｌ２には、包装箱１０の上部と下部とを切り離すための切離線D１が形成されている。第１破断線Ｃ１および切離線D１は、破断可能な切れ込み線をそれぞれ有する。当該切れ込み線は、例えば、ミシン目で構成されたものや、図１および図２に示すように、「Ｙ」の字形のもので構成されうる。本実施形態に係る第１破断線Ｃ１は、「Ｙ」の下部分が第７縁辺Ｌ７側に向かうように「Ｙ」を９０度回転させ、複数配列したもので構成されている。詳細は後述するが、ユーザは、第１破断線Ｃ１を破断することによって、包装箱１０を開封し、切離線D１を破断することによって、包装箱１０をトレー状に変形させることができる。
【００２６】
本実施形態に係る包装箱１０は、第１内フラップ部２２と第２外フラップ部３４とが重なる部分が接着されている接着部５０と、第２内フラップ部２３と第１外フラップ部３１とが重なる部分が接着されていない非接着部６０とを備える。当該接着は、例えば、接着剤やホットメルトによって行われ、内フラップ部と外フラップ部とが重なる部分の全面または一部分を接合するように行われる。本実施形態では、図１に示すように、接着部５０はドット状のハッチングを施したもので表され、非接着部６０は複数の傾斜した破線のハッチングを施したもので表される。また、本実施形態に係る包装箱１０では、不図示であるが、第１内フラップ部２２と第１外フラップ部３１とが重なる部分、および第２内フラップ部２３と第２外フラップ部３４とが重なる部分は、それぞれ接着されている。すなわち、４つの内フラップ部と４つの外フラップ部とが重なる部分のうち、第１外フラップ部３１と第２内フラップ部２３とが重なる部分だけが接着されていないことになる。
【００２７】
図２に移り、本実施形態におけるブランクシート１０Ｂにおいて、第２面部１２は、第１面部１１に第１縁辺（第１折り曲げ線）Ｌ１を介して接続されており、第３面部１３は、第１面部１１に第２縁辺（第２折り曲げ線）Ｌ２を介して接続されており、第４面部１４は、第３面部１３に第５縁辺（第５折り曲げ線）Ｌ５を介して接続されている。また、第５面部１５は、第２面部１２に第８縁辺（第８折り曲げ線）Ｌ８を介して接続されている。
【００２８】
一対の第１内フラップ部２２は、第２面部１２に一対の第４縁辺（第４折り曲げ線）Ｌ４を介してそれぞれ接続されており、一対の第２内フラップ部２３は、第３面部１３に一対の第６縁辺（第６折り曲げ線）Ｌ６を介してそれぞれ接続されている。一対の第１外フラップ部３１は、第１面部１１に一対の第３縁辺（第３折り曲げ線）Ｌ３を介してそれぞれ接続されており、一対の第２外フラップ部３４は、第４面部１４に一対の第７縁辺（第７折り曲げ線）Ｌ７を介してそれぞれ接続されている。また、一対の内壁フラップ部４５は、第５面部１５に一対の第９縁辺（第９折り曲げ線）Ｌ９を介してそれぞれ接続されている。
【００２９】
本実施形態におけるブランクシート１０Ｂは、第３折り曲げ線Ｌ３、第４折り曲げ線Ｌ４、第６折り曲げ線Ｌ６、第７折り曲げ線Ｌ７、および第９折り曲げ線Ｌ９が段ボールの縦罫線（いわゆる、クリーズ）となり、第１折り曲げ線Ｌ１、第２折り曲げ線Ｌ２、第５折り曲げ線Ｌ５、および第８折り曲げ線Ｌ８が段ボールの横罫線（いわゆる、スコア）となるように設定されている。尚、罫線の形成方向は、これに限られず、開封しやすいという本発明の目的を達成しうるものであれば、いずれの方向に形成されても良い。
【００３０】
＜包装箱の開封およびトレー形成＞  
図３から図５は、本発明の第１実施形態に係る包装箱１０を開封する様子について説明するための図である。図３は第２外フラップ部３４を第１破断線Ｃ１に沿って破断したときの包装箱１０の斜視図、図４は第２折り曲げ線Ｌ２を回転軸として回転するように、包装箱１０の上部を上方に持ち上げたときの包装箱１０の斜視図をそれぞれ示す。また、図５は包装箱１０の上部を取り外して形成されたときのトレー１０Ｔの斜視図である。ここで「包装箱の上部」とは、本実施形態では、第３面部１３、一対の第２内フラップ部２３、第４面部１４、および一対の第２外フラップ部３４、を含む部分である。
【００３１】
先ず、ユーザは、例えば、包装箱１０を開封するため、図３のＡで示すように、第２外フラップ部３４を第１破断線Ｃ１に沿って破断して（例えば、両手を使用して２箇所同時に破断して）、第１内フラップ部２２と第２外フラップ部３４とを接着していた接着部５０の接着を取り外す。第１破断線Ｃ１の存在によって、接着部５０の接着が取り外しやすくなっている。本実施形態では、この１つの工程のみで、包装箱１０を開封することができる。つまり、接着部５０の接着を取り外すことで、第１内フラップ部２２と第２内フラップ部２３とを上下に離すことが可能になる。
【００３２】
次に、ユーザは、例えば、図４のＢで示すように、包装箱１０の上部を掴んで上方に持ち上げることによって、包装箱１０を図４に示す状態にすることができる。非接着部６０を設けることによって、さらなる接着を取り外すことなく、第２折り曲げ線Ｌ２を回転軸として回転するように、包装箱１０の上部を上方に持ち上げることが可能となっている。
【００３３】
その後、ユーザは、例えば、第２折り曲げ線Ｌ２に形成された切離線Ｄ１を破断することによって、図５に示すように、トレー１０Ｔを形成することができる。このトレー１０Ｔは、例えば、陳列用やディスプレイ用として使用可能となる。なお、トレー１０Ｔの高さを合わせるように、第１外フラップ部３１の一部を破断可能な破断線を第１外フラップ部３１に設けても良い。
【００３４】
従来、商品陳列の効率化を図るため、包装箱を上下に分割開封した際にトレーが形成され、商品を包装箱から取り出さないでそのまま店頭に陳列できるような包装箱が知られている。しかし、このような構成の包装箱を開封してトレーを形成するためには、包装箱の全ての側壁を周方向に破断する必要が生じ、包装箱の開封に手間がかかり、商品の陳列に時間がかかる場合があった。
【００３５】
本実施形態では、接着を取り外す箇所を必要最小限に抑え、且つ、内フラップ部と外フラップ部とが重なる部分のうち所定部分について接着を施さないことにより、当該接着を取り外すだけで包装箱を開放できる結果、包装箱を迅速に開封することが可能となる。よって、トレーを速やかに形成することが可能となる。
【００３６】
また、本実施形態によれば、包装箱を迅速に開封できるため、収容された物品を速やかに取り出すことも可能となる。
【００３７】
＜第２実施形態＞  
本発明の第２実施形態では、第１実施形態と異なり、開封前の包装体１０１および包装箱１１０の第４面部１４は、その第４面部１４上を横断する第２破断線Ｃ２と、その第２破断線Ｃ２の破断を支援する破断開始部ＣＳと、を備える（後述の図６を参照）。本実施形態に係る包装体１０１および包装箱１１０を構成する各要素のうち、同様の機能を有するものについては、第１実施形態と同一の符号を付してその説明を省略する。
【００３８】
＜構造＞  
図６に本発明の第２実施形態に係る、開封前の包装体１０１および包装箱１１０の斜視図を示し、図７に本実施形態に係る包装箱１１０を展開したブランクシート１１０Ｂの平面図を示す。
【００３９】
本実施形態に係る包装体１０１は、第１実施形態と同様に、包装箱１１０に、物品７０を収容して構成される（後述する図９および図１０を参照）。また、本実施形態に係る包装箱１１０は、第１実施形態と同様に、略直方体の形状を呈するものであり、図６、図７に示すように、いわゆるラップアラウンドケースに類似した構成となっている。
【００４０】
一対の第２外フラップ部３４には、第１実施形態と同様に、その延出方向の端縁から第７縁辺Ｌ７に向かって、一対の第１破断線Ｃ１がそれぞれ形成される。本実施形態では、第４面部１４には、一対の第１破断線Ｃ１の第７縁辺Ｌ７側の端部の間を接続する第２破断線Ｃ２がさらに設けられる。第２破断線Ｃ２は、第１破断線Ｃ１および切離線Ｄ１と同様に、破断可能な切れ込み線を有する。また、第２破断線Ｃ２は、その破断を行い易くするための破断開始部ＣＳを含む。本実施形態では、破断開始部ＣＳは、図６および図７に示すように、下に凸の舌片形状が形成されるように、第４面部１４を貫通して切れ込みを入れることで設けられる。また、本実施形態では、第５面部１５には、図７に示すように、その延出方向の端縁部に形成され、破断開始部ＣＳの形状に対応する切欠き部Ｎ１が設けられる。切欠き部Ｎ１を設けることによって、破断開始部ＣＳの舌片部分を包装箱１１０の内側に押すことが可能となり、後述する包装箱１１０の開封をより簡便に行うことが可能となる。なお、本発明では、破断開始部ＣＳの形状はこれに限られず、上に凸の舌片形状のほか、様々な形状を採用することが可能である。
【００４１】
本実施形態に係る包装箱１１０は、第１実施形態と同様に、第１内フラップ部２２と第２外フラップ部３４とが重なる部分が接着されている接着部５０と、第２内フラップ部２３と第１外フラップ部３１とが重なる部分が接着されていない非接着部６０とを備える。また、本実施形態に係る包装箱１１０では、第１実施形態と同様に、不図示であるが、第１内フラップ部２２と第１外フラップ部３１とが重なる部分、および第２内フラップ部２３と第２外フラップ部３４とが重なる部分は、それぞれ接着されている。すなわち、４つの内フラップ部と４つの外フラップ部とが重なる部分のうち、第１外フラップ部３１と第２内フラップ部２３とが重なる部分だけが接着されていないことになる。
【００４２】
＜包装箱の開封およびトレー形成＞  
図８から図１０は、本発明の第２実施形態に係る包装箱１１０を開封する様子について説明するための図である。図８は第２外フラップ部３４を第１破断線Ｃ１に沿って破断したときの包装箱１１０の斜視図、図９は第２折り曲げ線Ｌ２を回転軸として回転するように、包装箱１１０の上部を上方に持ち上げたときの包装箱１１０の斜視図をそれぞれ示す。また、図１０は包装箱１１０の上部を取り外して形成されたときのトレー１０Ｔの斜視図である。ここで「包装箱の上部」とは、本実施形態では、第３面部１３、一対の第２内フラップ部２３、第４面部１４の上側部分、および一対の第２外フラップ部３４の上側部分、を含む部分である。「第４面部１４の上側部分」とは、第２破断線Ｃ２を破断することによって分断された第４面部１４の２つの面部分のうち、第５縁辺側のものをいう。「第２外フラップ部３４の上側部分」とは、第１破断線Ｃ１を破断することによって分断された第２外フラップ部３４の２つの部分のうち、上記第４面部１４の上側部分に連続しているものをいう。
【００４３】
先ず、ユーザは、例えば、包装箱１１０を開封するため、図８のＤで示すように、第２外フラップ部３４を第１破断線Ｃ１に沿って破断して（例えば、両手を使用して２箇所同時に破断して）、第２内フラップ部２３と第２外フラップ部３４の上側部分とを接着していた接着を取り外す。第１破断線Ｃ１の存在によって、当該接着が取り外しやすくなっている。
【００４４】
次に、ユーザは、破断開始部ＣＳの舌片形状を包装箱１１０の内側に押して折り曲げながら、内側に折り曲がった部分に指を引っ掛け、包装箱１１０の上部を上方に持ち上げることで、第２破断線Ｃ２を破断する。本実施形態では、これらの工程により、包装箱１０を開封することができる。つまり、第２内フラップ部２３と第２外フラップ部３４の上側部分とを接着していた接着を取り外し、且つ、第２破断線Ｃ２を破断することで、第１内フラップ部２２と第２内フラップ部２３とを上下に離すことが可能になる。
【００４５】
続いて、ユーザは、例えば、図９のＢで示すように、包装箱１１０の上部を掴んで上方に持ち上げることによって、包装箱１１０を図９に示す状態にすることができる。
【００４６】
その後、ユーザは、例えば、第２折り曲げ線Ｌ２に形成された切離線Ｄ１を破断することによって、図１０に示すように、トレー１１０Ｔを形成することができる。
【００４７】
本実施形態では、第１実施形態と同様に、包装箱を迅速に開封することが可能となり、トレーを速やかに形成することが可能となる。また、包装箱を迅速に開封できるため、収容された物品を速やかに取り出すことも可能となる。
【００４８】
なお、本実施形態では、破断開始部ＣＳの舌片形状を包装箱１１０の内側に折り曲げ易くするために、当該折り曲げ部分に折り曲げ線を設けてもよい。この折り曲げ線は、プレスによる罫線やリード罫で形成されてもよい。
【００４９】
また、本実施形態に係る第１破断線Ｃ１は、図６に示すように、「Ｙ」の下部分が第７縁辺Ｌ７側に向かうように「Ｙ」を９０度回転させ、複数配列したもので構成されているが、本発明ではこれに限られない。
【００５０】
図１１は、本発明の第２実施形態の変形例に係る包装箱２１０を開封する様子について説明するための図であり、第２折り曲げ線Ｌ２を回転軸として回転するように、当該包装箱の上部を上方に持ち上げたときの包装箱の斜視図である。
【００５１】
本変形例では、第１破断線Ｃ１は、「Ｙ」の下部分が、第２外フラップ部３４の延出方向の端縁側に向かうように「Ｙ」を９０度回転させ、複数配列したもので構成されている。
【００５２】
本変形例の構成によれば、ユーザは、破断開始部ＣＳの舌片形状を包装箱２１０の内側に押して折り曲げながら、内側に折り曲がった部分に指を引っ掛け、包装箱２１０の上部を上方（例えば、図１１に示すＥ方向）に持ち上げることで、第２破断線Ｃ２および第１破断線Ｃ１を（一気に）破断することが可能となる。よって、第２内フラップ部２３と第２外フラップ部３４との接着を取り外す必要がなくなるため、包装箱２１０をより迅速に開封することが可能となる。
【００５３】
＜その他＞  
本発明は、上述した各実施形態や、随所に述べた変形例に限られることなく、本発明の技術的思想から逸脱しない範囲で、適宜の変更や変形が可能である。
【００５４】
例えば、上記各実施形態や変形例に係る包装箱１０、１１０、２１０の第２外フラップ部３４や第４面部１４付近には、ユーザが包装箱１０、１１０、２１０の開封を行いやすくするために、第１破断線Ｃ１、第２破断線Ｃ２、破断開始部ＣＳの位置を示唆する文字、図形、記号、または、これらを組み合わせたものを印刷してもよい。また、切離線Ｄ１付近の場所には、ユーザがトレーの形成を行いやすくするために、切離線Ｄ１の位置を示唆する文字、図形、記号、または、これらを組み合わせたものを印刷してもよい。
【００５５】
加えて、上記各実施形態や変形例に係る包装箱１０、１１０、２１０には、第５面部１５や一対の内壁フラップ部４５が設けられているが、本発明では設けなくてもいい。これにより、歩留まりを良くすることが可能となる。
【００５６】
さらに、上記各実施形態や変形例に係る包装箱１０、１１０、２１０およびブランクシート１０Ｂ、１１０Ｂの材質は、段ボール製であるが、これに限られず、迅速に開封できるという効果を発揮できるものであれば、どのような素材を使用してもよく、例えば、厚紙やプラスチック製のものであってもよい。
【００５７】
上記各実施形態や変形例に係る包装箱１０、１１０、２１０では、１つのトレー１０Ｔ、１１０Ｔが形成されるがこれに限られず、切離線Ｄ１を破断せずに、図４および図９に示すような、階段状に形成されたものをトレーとして使用してもよい。この場合、物品を配置できるトレーが２つ形成されることになる。
【００５８】
上記各実施形態において、第２内フラップ部２３と第２外フラップ部３４とが重なる部分が接着されていない場合、本発明では、第１破断線Ｃ１および第２破断線Ｃ２の代わりに次の（１）または（２）のような破断線を採用しても、上記各実施形態と同様の効果を得ることが可能となる。
（１）第５縁辺Ｌ５に形成される破断線。
（２）第５縁辺Ｌ５の両端部を通り、第３面部１３または第４面部１４に形成される破断線。
【００５９】
（１）または（２）の破断線を破断することによって、第１内フラップ部２２と第２内フラップ部２３とを上下に離すことができるので、包装箱の迅速な開封が可能になる。
【００６０】
なお、上記各実施形態や変形例に係る包装箱１０、１１０、２１０は、ラップアラウンドケースと同様に、製函機を用いて物品７０を包むようにして製函されてもよい。この場合、第１外フラップ部３１と第２内フラップ部２３とが重なる部分が少なくとも接着されないように製函される。
【符号の説明】
【００６１】
１、１０１  包装体
１０、１１０、２１０  包装箱
１０Ｂ、１１０Ｂ  ブランクシート
１０Ｔ、１１０Ｔ  トレー
１１  第１面部
１２  第２面部
１３  第３面部
１４  第４面部
１５  第５面部
２２  第１内フラップ部
２３  第２内フラップ部
３１  第１外フラップ部
３４  第２外フラップ部
４５  内壁フラップ部
５０  接着部
６０  非接着部
７０  物品
Ｃ１  第１破断線
Ｃ２  第２破断線
Ｄ１  切離線
Ｌ１  第１縁辺（第１折り曲げ線）
Ｌ２  第２縁辺（第２折り曲げ線）
Ｌ３  第３縁辺（第３折り曲げ線）
Ｌ４  第４縁辺（第４折り曲げ線）
Ｌ５  第５縁辺（第５折り曲げ線）
Ｌ６  第６縁辺（第６折り曲げ線）
Ｌ７  第７縁辺（第７折り曲げ線）
Ｌ８  第８縁辺（第８折り曲げ線）
Ｌ９  第９縁辺（第９折り曲げ線）
【図１】
0006680106.tif 000002
【図２】
0006680106.tif 000003
【図３】
0006680106.tif 000004
【図４】
0006680106.tif 000005
【図５】
0006680106.tif 000006
【図６】
0006680106.tif 000007
【図７】
0006680106.tif 000008
【図８】
0006680106.tif 000009
【図９】
0006680106.tif 000010
【図１０】
0006680106.tif 000011
【図１１】
0006680106.tif 000012